【事件の表示】
　特願２００１−１６１６５７「オンデマンド画像配信サーバ、サーバシステム、及びオンデマンド画像配信システム」拒絶査定不服審判事件〔平成１４年　３月２９日出願公開、特開２００２−　９１９９０〕について、次のとおり審決する。
【結　論】
　本件審判の請求は、成り立たない。
【理　由】
第１．手続の経緯
　
１．手続の経緯の概要
　本願は、
平成１３年５月３０日付けの出願であって、
平成２０年３月６日付けで審査請求がなされ、
平成２２年７月２９日付けで拒絶理由通知（同年８月３日発送）がなされ、
同年９月２１日付けで意見書が提出されるとともに、
同日付けで手続補正書が提出され、
平成２３年４月２２日付けで拒絶査定（同年５月１０日発送）がなされ、
同年７月２６日付けで審判請求がされるとともに、
同日付けで手続補正書が提出されたものである。
　なお
平成２３年１０月２７日付けで特許法第１６４条第３項に定める報告（前置報告）がなされ、
平成２４年６月２７日付けで当該報告に対する意見を求める旨の審尋（同年７月３日発送)がなされたが、これに対する応答は無かった。
　
　
２．補正の内容
（１）平成２２年９月２１日付け手続補正
　上記平成２２年９月２１日付けの手続補正書は特許請求の範囲を以下のとおりに補正するとともに、発明の詳細な説明をこれに合わせて補正するものである。
「【請求項１】　所望の画像データを、クライアント端末からの要求に基づいて配信するオンデマンド画像配信サーバであって、
　クライアント端末から入力のあった複数の検索項目を検索条件とし、１つ又は複数の画像資源データベースを検索する検索機能部と、
　検索条件に該当した画像データの簡易画像データ及びこれに付属するコンテンツ関連情報のうち所定の項目に関するものを、配信対象とする画像データの内容確認用にクライアント端末の画面上に一覧表示させる検索結果表示機能部とを備え、
　上記コンテンツ関連情報には少なくともＧＰＳ情報が含まれ、
　上記クライアント端末から入力される複数の検索項目には、位置情報及び時間情報が含まれ、
　上記検索結果表示機能部は、検索条件として入力された位置情報に該当した画像データの簡易画像データを、これに付属するＧＰＳ情報を使用して地図上の該当位置にマッピングし、マッピング結果をクライアント端末の画面上に表示するオンデマンド画像配信サーバ。
【請求項２】　上記検索結果表示機能部は、上記所定の項目を、画像資源データベース側の設定に基づいて決定する
　請求項１記載のオンデマンド画像配信サーバ。
【請求項３】　上記検索結果表示機能部は、上記所定の項目を、自装置内の設定に基づいて決定する
　請求項１記載のオンデマンド画像配信サーバ。
【請求項４】　上記検索結果表示機能部は、上記所定の項目を、上記クライアント端末側の設定に基づいて決定する
　請求項１記載のオンデマンド画像配信サーバ。
【請求項５】　検索要求を発したクライアント端末からの要求に従って、当該検索要求を発したクライアント端末とは別のクライアント端末に画像データを配信し得る
　請求項１記載のオンデマンド画像配信サーバ。
【請求項６】　オンデマンド画像配信サーバと、画像資源データベースとを備えるサーバシステムにおいて、
　上記オンデマンド画像配信サーバは、所望の画像データを、クライアント端末からの要求に基づいて配信するオンデマンド画像配信サーバであって、
　クライアント端末から入力のあった複数の検索項目を検索条件とし、１つ又は複数の上記画像資源データベースを検索する検索機能部と、
　検索条件に該当した画像データの簡易画像データ及びこれに付属するコンテンツ関連情報のうち所定の項目を、配信対象とする画像データの内容確定用にクライアント端末の画面上に一覧表示させる検索結果表示機能部とを備え、
　上記画像資源データベースは、画像データを、その簡易画像データ及びこれに付属するコンテンツ関連情報と共に格納する画像資源データベースであって、
　上記オンデマンド画像配信サーバへの検索結果の応答時、検索条件に該当した画像データの簡易画像データ及びこれに付属するコンテンツ関連情報のうち所定の項目に関するもののみを出力する検索実行部を備え、
　上記コンテンツ関連情報には少なくともＧＰＳ情報が含まれ、
　上記クライアント端末から入力される複数の検索項目には、位置情報及び時間情報が含まれ、
　上記オンデマンド画像配信サーバの上記検索結果表示機能部は、検索条件として入力された位置情報に該当した画像データの簡易画像データを、これに付属するＧＰＳ情報を使用して地図上の該当位置にマッピングし、マッピング結果をクライアント端末の画面上に表示する
　サーバシステム。
【請求項７】　オンデマンド画像配信サーバと、画像資源データベースと、クライアント端末とを備えるオンデマンド画像配信システムにおいて、
　上記オンデマンド画像配信サーバは、所望の画像データを、クライアント端末からの要求に基づいて配信するオンデマンド画像配信サーバであって、
　クライアント端末から入力のあった複数の検索項目を検索条件とし、１つ又は複数の上記画像資源データベースを検索する検索機能部と、
　検索条件に該当した画像データの簡易画像データ及びこれに付属するコンテンツ関連情報のうち所定の項目に関するものを、配信対象とする画像データの内容確定用にクライアント端末の画面上に一覧表示させる検索結果表示機能部とを備え、
　上記画像資源データベースは、画像データを、その簡易画像データ及びこれに付属するコンテンツ関連情報と共に格納する画像資源データベースであって、
　上記オンデマンド画像配信サーバへの検索結果の応答時、検索条件に該当した画像データの簡易画像データ及びこれに付属するコンテンツ関連情報のうち所定の項目に関するもののみを出力する検索実行部を備え、
　上記クライアント端末は、上記オンデマンド画像配信サーバから検索条件に該当した画像データに関する情報を受信し、画面上に一覧表示するクライアント端末であって、
　上記オンデマンド画像配信サーバより通知のあった、画像データの簡易画像データ及びこれに付属するコンテンツ関連情報のうち所定の項目に関するもののみを画面上に出力する検索結果表示機能部を備え、
　上記コンテンツ関連情報には少なくともＧＰＳ情報が含まれ、
　上記クライアント端末から入力される複数の検索項目には、位置情報及び時間情報が含まれ、
　上記オンデマンド画像配信サーバの上記検索結果表示機能部は、検索条件として入力された位置情報に該当した画像データの簡易画像データを、これに付属するＧＰＳ情報を使用して地図上の該当位置にマッピングし、マッピング結果をクライアント端末の画面上に表示する
　オンデマンド画像配信システム。」
　
（２）平成２３年７月２６日付け手続補正
　上記平成２３年７月２６日付けの手続補正書は特許請求の範囲を以下のとおりに補正するとともに、発明の詳細な説明をこれに合わせて補正しようとするものである。
「【請求項１】　所望の画像データを、クライアント端末からの要求に基づいて配信するオンデマンド画像配信サーバであって、
　クライアント端末から入力のあった複数の検索項目を検索条件とし、１つ又は複数の画像資源データベースを検索する検索機能部と、
　検索条件に該当した画像データの簡易画像データ及びこれに付属するコンテンツ関連情報のうち所定の項目に関するものを、配信対象とする画像データの内容確認用にクライアント端末の画面上に一覧表示させる検索結果表示機能部とを備え、
　上記コンテンツ関連情報には少なくともＧＰＳ情報が含まれ、
　上記クライアント端末から入力される複数の検索項目には、位置情報及び時間情報が含まれ、
　上記検索結果表示機能部は、検索条件として入力された位置情報に該当した画像データの簡易画像データ
及びこれに付属するコンテンツ関連情報
を示す情報の近傍に上記該当位置を示す情報の表示を妨げないように
　オンデマンド画像配信サーバ。
【請求項２】　上記検索結果表示機能部は、上記所定の項目を、画像資源データベース側の設定に基づいて決定する
　請求項１記載のオンデマンド画像配信サーバ。
【請求項３】　上記検索結果表示機能部は、上記所定の項目を、自装置内の設定に基づいて決定する
　請求項１記載のオンデマンド画像配信サーバ。
【請求項４】　上記検索結果表示機能部は、上記所定の項目を、上記クライアント端末側の設定に基づいて決定する
　請求項１記載のオンデマンド画像配信サーバ。
【請求項５】　検索要求を発したクライアント端末からの要求に従って、当該検索要求を発したクライアント端末とは別のクライアント端末に画像データを配信し得る
　請求項１記載のオンデマンド画像配信サーバ。
【請求項６】　オンデマンド画像配信サーバと、画像資源データベースとを備えるサーバシステムにおいて、
　上記オンデマンド画像配信サーバは、所望の画像データを、クライアント端末からの要求に基づいて配信するオンデマンド画像配信サーバであって、
　クライアント端末から入力のあった複数の検索項目を検索条件とし、１つ又は複数の上記画像資源データベースを検索する検索機能部と、
　検索条件に該当した画像データの簡易画像データ及びこれに付属するコンテンツ関連情報のうち所定の項目を、配信対象とする画像データの内容確定用にクライアント端末の画面上に一覧表示させる検索結果表示機能部とを備え、
　上記画像資源データベースは、画像データを、その簡易画像データ及びこれに付属するコンテンツ関連情報と共に格納する画像資源データベースであって、
　上記オンデマンド画像配信サーバへの検索結果の応答時、検索条件に該当した画像データの簡易画像データ及びこれに付属するコンテンツ関連情報のうち所定の項目に関するもののみを出力する検索実行部を備え、
　上記コンテンツ関連情報には少なくともＧＰＳ情報が含まれ、
　上記クライアント端末から入力される複数の検索項目には、位置情報及び時間情報が含まれ、
　上記オンデマンド画像配信サーバの上記検索結果表示機能部は、検索条件として入力された位置情報に該当した画像データの簡易画像データ
及びこれに付属するコンテンツ関連情報
を示す情報の近傍に上記該当位置を示す情報の表示を妨げないように
　サーバシステム。
【請求項７】　オンデマンド画像配信サーバと、画像資源データベースと、クライアント端末とを備えるオンデマンド画像配信システムにおいて、
　上記オンデマンド画像配信サーバは、所望の画像データを、クライアント端末からの要求に基づいて配信するオンデマンド画像配信サーバであって、
　クライアント端末から入力のあった複数の検索項目を検索条件とし、１つ又は複数の上記画像資源データベースを検索する検索機能部と、
　検索条件に該当した画像データの簡易画像データ及びこれに付属するコンテンツ関連情報のうち所定の項目に関するものを、配信対象とする画像データの内容確定用にクライアント端末の画面上に一覧表示させる検索結果表示機能部とを備え、
　上記画像資源データベースは、画像データを、その簡易画像データ及びこれに付属するコンテンツ関連情報と共に格納する画像資源データベースであって、
　上記オンデマンド画像配信サーバへの検索結果の応答時、検索条件に該当した画像データの簡易画像データ及びこれに付属するコンテンツ関連情報のうち所定の項目に関するもののみを出力する検索実行部を備え、
　上記クライアント端末は、上記オンデマンド画像配信サーバから検索条件に該当した画像データに関する情報を受信し、画面上に一覧表示するクライアント端末であって、
　上記オンデマンド画像配信サーバより通知のあった、画像データの簡易画像データ及びこれに付属するコンテンツ関連情報のうち所定の項目に関するもののみを画面上に出力する検索結果表示機能部を備え、
　上記コンテンツ関連情報には少なくともＧＰＳ情報が含まれ、
　上記クライアント端末から入力される複数の検索項目には、位置情報及び時間情報が含まれ、
　上記オンデマンド画像配信サーバの上記検索結果表示機能部は、検索条件として入力された位置情報に該当した画像データの簡易画像データ
及びこれに付属するコンテンツ関連情報
を示す情報の近傍に上記該当位置を示す情報の表示を妨げないように
　オンデマンド画像配信システム。」
　
　
　
第２．平成２３年７月２６日付けの手続補正についての補正却下の決定
　
［補正却下の決定の結論］
　平成２３年７月２６日付けの手続補正を却下する。
　
　
［理由］
１．本件補正の内容
　平成２３年７月２６日付けの手続補正（以下「本件補正」と記す。）は、特許請求の範囲について、上記第１．２．（１）記載の特許請求の範囲から、上記第１．２．（２）記載の特許請求の範囲に補正しようとするものである。
　
　
２．本件補正の目的について
（１）本件補正は、本件補正前の請求項１記載の発明を特定するための事項（以下「発明特定事項」と記す。）であるところの「検索結果表示機能部」の「検索条件として入力された位置情報に該当した画像データの簡易画像データを、これに付属するＧＰＳ情報を使用して地図上の該当位置にマッピングし、マッピング結果をクライアント端末の画面上に表示する」との限定を、より下位の「検索条件として入力された位置情報に該当した画像データの簡易画像データ
及びこれに付属するコンテンツ関連情報
を示す情報の近傍に上記該当位置を示す情報の表示を妨げないように
　したがって、本件補正の目的は、請求項に記載した発明特定事項を限定するものであって、その補正前の当該請求項に記載された発明とその補正後の当該請求項に記載される発明の産業上の利用分野及び解決しようとする課題が同一であるもの（以下「限定的減縮」と記す。）に該当し、特許法第１７条の２第４項第２号に掲げられる事項を目的とするものである。
　
　
３．独立特許要件について
　上記２．のとおり、本件補正は限定的減縮を目的とするものであるので、本件補正後の請求項１に記載されている事項により特定される発明（以下、「本件補正発明」という。）が特許出願の際独立して特許を受けることができるものであるか否かについて、以下に検討する。
　
　
３−１．本件補正発明
　本件補正発明は、上記第１．２．（２）において【請求項１】として記載したとおりのものである。
　
　
３−２．先行技術
　
（１）引用文献
　本願の出願前に頒布または電気通信回線を通じて公衆に利用可能となり、原審の拒絶の査定の理由である上記平成２２年７月２９日付けの拒絶理由通知において引用された、下記引用文献には、それぞれ下記引用文献記載事項が記載されている。（下線は当審付与。）
　
　
＜引用文献１＞
Ｃｈｕｃｋ　Ｆｕｌｌｅｒ，“ストリーミング技術の現在−Ｗｅｂビデオシステムの概要”，ＵＮＩＸ　ＭＡＧＡＺＩＮＥ，株式会社アスキー，平成１２年３月１日，第１５巻，第３号，ｐ．６５−７２
　
　＜引用文献記載事項１−１＞
「　　　検索インターフェイス
　
Ｗｅｂの利用者に満足してもらうためには、Ｗｅｂのサーチエンジンに似ているだけでなく、さらに機能を付加した検索インターフェイスを提供する必要がある
多様な情報を含むメタデータの場合には、分野別検索や論理式による検索がおこなえる高度なインターフェイスが必要である。たとえば利用者は、映像の注釈に含まれる日付や話者、その分野に固有の情報などをもとに検索の条件を絞っていくかもしれない。
　
検索結果は、普通なら該当した項目をたんに一覧表示するだけだが、映像の検索の場合は内容を示す静止画像（サムネイル）やその場面に関するなんらかの追加情報を表示してもよいだろう。たとえば、題名や日付、話者、おもな会話の内容などを表示すれば、検索結果となった映像の一場面をわずかな帯域幅で利用者に知らせることができる。このような情報があれば、利用者がその場面を再生するかどうかを判断する際におおいに参考になるだろう。また、実際に映像を再生する場合でも、利用者は興味のある箇所をメタデータによって指定された再生位置から確実に観ることができる
　Ｗｅｂを中心としたアーキテクチャでは、検索／閲覧アプリケーションは
Ｗｅｂサーバー
　
　＜引用文献記載事項１−２＞
「　　　
映像のストリーミング
　　映像の検索によって生じる負荷は、映像を実際に再生する場合にくらべれば些細なものである。利用者が一斉に映像ファイルのダウンロードを始めたりすれば、大きなリソース問題に直面することになるはずだ。さいわいにも、現在ではいくつもの映像配信システムが登場している。これらは、モデムなどで接続した回線のような狭い帯域幅のためのシステムから、高品質な広帯域用のものまでさまざまである。どんなフォーマットであれ、エンコードされた映像はビデオサーバー・アプリケーションによって保存、登録される。システムのなかには、映像コンテンツをファイルシステム上のファイルに単純に記録するものもあるだろう。ハイエンドなシステムであれば、高品質な映像を並行して流すために、特別なデータ格納方式を採用してＩ／Ｏを最適化しているかもしれない。デスクトップで映像をデコードして表示するためには、多くの場合、専用のコーデック／再生アプリケーションが必要になる。広い帯域幅が必要な映像（ＭＰＥＧ２など）には、ハードウェア・アクセラレータを使わなければならないかもしれない。
　
ビデオサーバーは、映像へのアクセス用にＵＲＬを提供する。
したがって、Ｗｅｂと映像を統合したシステムでは、ＵＲＬの“書式”と論理的な映像資産を、検索システムのメタデータによって関連づけることが重要になる。“書式”は、コンテンツ（資産ＩＤ）を表すＵＲＬに再生位置を示す引数を加えた形式になっている。
　rtsp://realserver/Content/090999/doomsday.rmplay.x=1ccstart=1284172
　有名なＷｅｂストリーミング用のフォーマットとしては、ＲｅａｌＮｅｔｗｏｒｋｓのＲｅａｌＶｉｄｅｏ、ＭｉｃｒｏｓｏｆｔのＷｉｎｄｏｗｓ　Ｍｅｄｉａなどがある。これらはいずれも、下は２８．８Ｋｂｐｓのモデムによる接続から、上は５００Ｋｂｐｓまでの帯域幅に対応している。また、どちらも（標準的なＮＴワークステーション上で）ソフトウェアによるエンコードが可能で、小規模なストリーミングでは特別なハードウェアを必要としない。
　検索可能な映像システムは、結果として１対１のストリーミングを大量に発生させる。したがって、インタラクティブな映像配信システムをインターネット上で公開する場合は十分に注意する必要がある。今日のインターネットではＩＰマルチキャストが使えるが、それも助けにはならないだろう。大規模なＷｅｂサイトが備えているような各種の機能に加えて、キャッシュ・システムの設置やコンテンツの分散、ＱｏＳを備えた配信機構が必要になる。いくつかの企業はこの問題に着目しており、効率的で特化された配信サービスを提供している。Ｒｅａ１Ｎｅｔｗｏｒｋｓ、ＩｎｔｅｒＶｕ、Ｇｌｏｂｉｘ、Ａｃｔｉｖａｔｅなどの企業がそのようなサービスを提供している。
　イントラネットや広帯域用のシステムのなかには、オプションでＭＰＥＧやテレビ会議用フォーマットに対応するものがある。また、Ｔｅｌｅｍｅｄｉａ、Ｖｓｏｆｔ、ＩＶＴ（Ｉｎｓｔａｎｔ　Ｖｉｄｅｏ　Ｔｅｃｈｎｏｌｏｇｉｅｓ）、Ｏｂｖｉｏｕｓ　Ｔｅｃｈｎｏｌｏｇｙ、Ｓｔａｒｌｉｇｈｔ　Ｎｅｔｗｏｒｋｓ、ＩＢＣ−ＴＶなどの企業は、高品質なデジタルビデオ用のエンコーディング技術や配信技術をもっている。ＣｉｓｃｏのＩＰ／ＴＶは、同社製ルータの拡張ＩＰ機能を活用する魅力的な企業向けシステムである。」（第６９ページ左欄第３４行〜第７０ページ左欄第１８行）
　
　＜引用文献記載事項１−３＞
「
　　　　　　　　　　　　　　　　　　　　　　　　　　　　　　　　　」（第６８ページ）
　
　
＜引用文献２＞
特開平１０−３０７５３２号公報（平成１０年１１月１７日出願公開）
　
　＜引用文献記載事項２−１＞
「【特許請求の範囲】
【請求項１】　現在位置を検出する位置検出装置と、地図情報を記憶した地図情報記憶媒体から、該地図情報を読み出す地図情報読みだし装置と、画像を撮影するカメラおよびカメラにより撮影された動画像を記憶する映像記憶装置を有する画像処理装置と、前記地図情報に基づき得た地図画像および撮影された画像を表示する表示装置とを備えた地図表示装置であって、
前記表示装置に、利用者により選択される、操作要求を示すボタンを表示するための処理を実行するボタン画像生成手段、および、利用者が前記ボタンのうちの何れかを選択するための入力手段を備え、選択されたボタンに対応した操作要求を出力するインタフェースと、
前記操作要求を受け入れて、これに応答して処理を実行する制御処理手段、カメラにより撮影された動画像のうち、所定の静止画像を記憶する静止画像記憶手段、および、
少なくとも動画像が撮影された現在位置を示す撮影情報を記憶する撮影情報記憶手段
前記地図表示装置が、地図画像を表示装置に表示するための地図モード、および、カメラにて画像を撮影するための撮影モードの何れか一方にて作動可能であり、前記地図モードが、再生待ち状態および再生状態を含み、かつ、前記撮影モードが、録画要求待ち状態および録画状態を含み、それぞれの状態にて、インタフェースから制御処理手段に受け入れ可能な操作要求が限定され、これに対応して、ボタン画像生成手段によりボタンが生成されて前記表示装置に表示され、かつ、選択されたボタンに基づく操作要求により、制御処理手段により所定の処理が実行されることを特徴とする地図表示装置。
【請求項２】　前記再生待ち状態並びに前記再生状態においては、再生開始およびモード変更、並びに、再生停止およびモード変更を示す操作要求が、それぞれ、前記制御処理手段に受け入れ可能であり、前記録画要求待ち状態並びに録画状態においては、撮影した画像を登録する編集、録画開始およびモード変更、並びに、録画停止およびモード変更を示す操作要求が、それぞれ、前記制御処理手段に受け入れが可能であることを特徴とする請求項１に記載の地図表示装置。
【請求項３】　前記処理制御手段が、録画開始を示す操作要求に応答して、映像記憶装置へのカメラ画像の録画を指示し、録画停止を示す操作要求に応答して録画の停止を指示し、かつ、編集を示す操作要求に応答して、映像記憶装置中の画像のうち所定の静止画像を受け入れて静止画像記憶手段に記憶するとともに、位置検出装置により検出された現在位置を、撮影情報記憶手段に記憶するように構成されたことを特徴とする請求項２に記載の地図表示装置。
【請求項４】　前記地図モードにおいて、前記制御処理手段が、前記撮影情報記憶手段に記憶された位置を参照して、地図上に、静止画像記憶手段により記憶された静止画像を重畳して表示するよう表示装置に指示を与えるように構成されたことを特徴とする請求項２または３に記載の地図表示装置。
【請求項５】　前記静止画像を指定することに応答して、前記インタフェースより再生を示す操作要求が制御処理手段に与えられ、前記制御処理手段が、これに応答して、前記映像記憶装置に記憶された対応する動画像を、表示装置に表示するように指示を与えるように構成されたことを特徴とする請求項４に記載の地図表示装置。
【請求項６】　前記映像記憶装置が、前記動画像の撮影に伴なう音声を収集するマイクを備え、前記映像記憶装置が、前記音声を動画像に対応して記憶することを特徴とする請求項１ないし５の何れか一項に記載の地図表示装置。
【請求項７】　前記再生要求待ち状態においては、さらに、
画像の検索を示す操作要求が前記制御処理手段に受け入れ可能であり、前記制御処理手段が、これに応答して、静止画像記憶手段および／または撮影情報記憶手段に記憶された画像および／または撮影位置に関する情報を、表示装置に表示するように指示を与え、かつ、選択された画像および撮影位置に関する情報に応答して、前記映像記憶装置に記憶された対応する動画像を、表示装置に表示するように指示を与えるように構成された
【請求項８】　前記制御処理手段が、前記再生要求待ち状態においては、さらに、
画像の検索を示す操作要求が前記制御処理手段に受け入れ可能であり、前記制御処理手段が、これに応答して、静止画像記憶手段および／または撮影情報記憶手段に記憶された画像および／または撮影位置に関する情報を、表示装置に表示するように指示を与え、かつ、選択された画像および撮影位置に関する情報に応答して、前記画像を撮影した地点を含む地図を、表示装置に表示するように指示を与えるように構成された
【請求項９】　前記画像を撮影した地点を含む地図において、前記撮影した地点が、地図の略中央に位置することを特徴とする請求項８に記載の地図表示装置。」
　
　＜引用文献記載事項２−２＞
「【００２３】
位置検出装置３は、ＧＰＳを用いて、制御装置５からの要求を受け入れるごとに、現在位置を緯度および経度の値で得ることができる
　
　＜引用文献記載事項２−３＞
「【０１０４】図１３は、「ＰｌａｙＢａｃｋＭｏｖｉｅ」命令を受信した場合に、制御処理部２０にて実行される処理を示すフローチャートである。制御処理部２０は、「ＰｌａｙＢａｃｋＭｏｖｉｅ」命令を受信すると（ステップ１３０１）、処理を開始する。
本命令は、引数として、タッチパネル上で指定された座標値がわたされる。そこで、ステップ１３０２においては、撮影情報記憶部２４が参照されて、指定された座標と、記憶されている撮影地点表示座標の何れかが一致するかを判断することにより、指定された座標値に対応する撮影地点が存在するかどうかが判断される。
【０１０５】次いで、ステップ１３０５において、インタフェース装置４の描画メモリ３１中に、再生画像出力のための表示領域を確保し、その先頭アドレスをレジスタ２０ａに格納する。その後に、ステップ１３０６において、音声画像処理装置１に対して、録画ファイルＩＤおよび再生出力先であるインタフェース装置４の描画メモリ３１中のアドレスを指定して、再生命令を発行する。実際の再生処理は、音声画像処理装置１のファイルハンドラ１３にて実行される。すなわち、ファイルハンドラ１３は、指定された録画ファイルＩＤの録画ファイルを、録画ファイル記憶部１４から、タイマ１５と同期して１／３０秒の間隔で読みだし、読み出された画像データを、指定されたインタフェース装置４の描画メモリ３１中の再生画像出力表示領域に転送する。また、音声データは、インタフェース装置４の、Ｄ／Ａ変換器および増幅器付きのスピーカ３２に出力される。この再生処理は、再生停止命令が伝達されるか、或いは、録画ファイル中の全フレームデータを読み出し終えるまで継続される。
【０１０６】再生命令を発行した制御処理部２０は、ステップ１３０７の処理に移り、本命令を発行したインタフェース装置４のＧＵＩ処理部３０に命令が成功したことを伝達して、処理を終了する。」
　
　＜引用文献記載事項２−４＞
「【０１１７】ステップ１９０５において、ＰｌａｙＦｌａｇがオフであった場合には、押圧されたボタンが、「再生」ボタンであったか或いは「検索」ボタンであったかが判断される（ステップ１９５０）。このステップ１９５０において、「再生」ボタンであると判断された場合には、ステップ１９０７に進み、「ＰｌａｙＢａｃｋＭｏｖｉｅ」命令が制御装置５に発行される。その一方、
ステップ１９５０において、「検索」ボタンであると判断された場合には、ステップ１９５１に進み
【０１１８】より詳細には、このステップ１９５１においては、描画メモリ３１内に、新たなボタンを表示するための領域を確保し、撮影地点の座標を示す「座標」ボタン、撮影された日時を示す「日時」ボタン、および、撮影された画像を示す「画像」ボタンを、液晶ディスプレイ３３の画面上に選択して、これらボタンの何れかが選択されるのを待つ。次いで、何れかのボタンが押圧されると、押圧されたボタンの種別を引き数として、第１の「ＲｅｔｒｉｅｖｅＭｏｖｉｅ」命令を発行する。
【０１１９】図２０（ａ）は、第１の「ＲｅｔｒｉｅｖｅＭｏｖｉｅ」命令を受け入れた場合に、制御装置５にて実行される処理を示すフローチャートである。図２０（ａ）に示すように、制御装置５においては、まず、引き数として受け入れたボタンの種別を判断する（ステップ２００１）。
ボタン種別が「座標」である場合には、撮影情報記憶部２４中の撮影ファイルＩＤの各々に対応した撮影地点表示座標を示すデータを読み出し（ステップ２００２）、
【０１２０】次いで、読み出されたデータを、液晶ディスプレイ３３の画面上に表示するために、描画メモリ３１中の所定の領域を確保し（ステップ２００５）、確保された領域に向けて、読み出されたデータを出力する（ステップ２００６）。
このようにして、液晶ディスプレイ３３の画面上には、撮影場所を示す座標のリスト
が表示される（図２１（ａ）ないし（ｃ）参照）
【０１２１】
利用者が、リストを参照して、所望のボタンに対応する部分を押圧すると、図１９のステップ１９５２においてイエス（ＹＥＳ）と判断され、押圧された部分に対応する座標を引き数として、第２の「ＲｅｔｒｉｅｖｅＭｏｖｉｅ」命令が発行される
【０１２２】ここに、図２０（ｂ）は、第２の「ＲｅｔｒｉｅｖｅＭｏｖｉｅ」命令を受け入れた場合に、制御装置５にて実行される処理を示すフローチャートである。図２０（ｂ）に示すように、制御装置５は、第２の「ＲｅｔｒｉｅｖｅＭｏｖｉｅ」命令に応答して、得られた座標に表示されている「座標」、「日時」或いは「画像」の撮影ファイルＩＤを取得し（ステップ２０１０）、撮影情報記憶部２４内のデータを参照して、撮影ファイルＩＤに対応する座標を得て、これに基づき、必要なメッシュコードなどを獲得する（ステップ２０１１）。次いで、描画メモリ３１中に、地図画像の表示領域を確保し（ステップ２０１２）、その後に、サムネール画像を表示するための描画メモリ３１中の領域を確保する（ステップ２０１３）。ステップ２０１２，２０１３においては、サムネール画像が、液晶ディスプレイ３３の画面の中央に表示されるように、領域が確保される。
【０１２３】このような処理が終了すると、地図画像生成装置２に対して、地図の領域および描画メモリ３１中のアドレスを与えることにより、地図描画命令を発行するとともに、サムネール画像の画像データを、描画メモリ３１に出力する（ステップ２０１４）。これにより、液晶ディスプレイ３３の画面上には、サムネール画像が中心に表示され、かつ、その周辺の地図が表示されたような画像を得ることが可能となる。
【０１２４】この実施の形態において、さらに、液晶ディスプレイの画面上に、撮影地点シンボルおよび撮影範囲を表示できるように構成してもよい。この場合には、ＲｅｃｏｒｄＳｔｒ、ＲｅｃｏｒｄＳｔｐ処理、ＲｅｓｉｓｔＭａｐ処理およびＰｌａｙＢａｃｋＭｏｖｉｅ処理が、それぞれ、図１０、図１１、図１２および図１３に示すものと若干異なり、また、撮影情報記憶部２４にて記憶されるデータの形式が、図７に示すものと異なる。
【０１２５】たとえば、ＲｅｃｏｒｄＳｔｒ処理においては、撮影開始命令（ステップ１００４）が発行されると、ファイルハンドラ１３が、タイマ１５から送られるタイミングにしたがって、音声データおよび画像データを、録画ファイルに記録するが、制御装置５においても、時計２２により送られる、タイマ１５でのタイミングと同期したタイミングにしたがって、位置検出装置３のバッファメモリ１８ｂに記憶された現在位置データを読みだし、これを、逐次、レジスタ２０ａに記憶して、所定のタイミングごとの現在位置データを蓄積する。これにより、ファイルハンドラ１３にて記録される音声データおよび画像データに対応する現在位置データが、レジスタ２０ａに蓄積される。その一方、ＲｅｃｏｒｄＳｔｐ処理においては、録画停止命令を発行した後に、現在位置データの取得およびレジスタ２０ａへの記憶を停止する。
【０１２６】また、ＲｅｇｉｓｔＭａｐ処理では、撮影情報を記録するステップにおいて、録画ファイルＩＤ、撮影日時などの他、所定のタイミングごとに得た現在位置を示すデータを、撮影情報記憶部２４に記憶する。
【０１２７】さらに、ＰｌａｙＢａｃｋＭｏｖｉｅ処理において、再生出力領域を作成し、再生開始命令を発行する際（図１３のステップ１３０５，１３０６）に、撮影情報記憶部２４に記憶された現在位置のデータに対応して、液晶ディスプレイ３３の画面上の地図に、現在位置を示す線分が重ね合わせられるように、再生開始命令を発行する。これにより、液晶ディスプレイ３３の画面上には、撮影範囲が線によって地図上に重ね合わされた画像が、再生画像とともに得られる。
【０１２８】本実施の形態によれば、画像の検索および／または撮影範囲の表示が可能であるため、利用者は、所望の画像をより容易に得ることができ、或いは、撮影された場所などに関する情報をより容易に取得することが可能となる。」
　
　
（２）参考文献
　本願の出願前に頒布または電気通信回線を通じて公衆に利用可能となされた下記参考文献には、それぞれ、下記参考文献記載事項が記載されている。（下線は当審付与。）
　
　
＜参考文献１＞
特開平１１−１２２６３８号公報（平成１１年４月３０日出願公開）
　
　＜参考文献記載事項１−１＞
「【特許請求の範囲】
【請求項１】　３次元データに応じた立体画像を作成し、該立体画像を表示装置に表示させる画像処理装置において、該装置は、
撮影に応じて生成される
画像データと該画像データの撮影位置および撮影方向を表わす撮影データとを含む第１のデータを入力する入力手段
前記３次元データと前記第１のデータとを記憶する記憶手段と、
前記３次元データの表わす立体画像を表示装置に表示させる処理手段とを含み、該処理手段は、
前記表示装置に表示される立体画像に応じた撮影位置の画像データを前記記憶手段から読み出し、前記撮影データに従って該画像データの表わす画像を前記立体画像上に合成して前記表示装置に表示させる
【請求項２】　請求項１に記載の画像処理装置において、前記処理手段は、前記立体画像の表示状態を指示する操作手段からの操作情報に従って、前記立体画像の視点位置に応じた３次元データと該３次元データに対応する撮影位置の第１のデータとを前記記憶手段より読み出し、該第１のデータの画像データを前記撮影データに従って前記３次元データに合成し、該画像データの表わす画像を前記撮影位置および撮影方向を保持する状態にて前記立体画像上に表示することを特徴とする画像処理装置。
【請求項３】　請求項２に記載の画像処理装置において、前記処理手段は、前記撮影位置および撮影方向に応じて、前記画像データの表わす画像を表示する表示領域を前記立体画像上に設定し、前記撮影データに対応する画像を前記表示領域に貼り付けて表示させることを特徴とする画像処理装置。
【請求項４】　請求項１ないし３のいずれかに記載の装置において、前記撮影データは、前記撮影された位置における撮影高度を含むことを特徴とする画像処理装置。
【請求項５】　請求項３に記載の画像処理装置において、該装置は、前記画像データを生成して記録媒体に記録するカメラと、前記撮影位置および撮影方向を検出して前記入力手段に前記撮影データを入力する検出手段とを含み、
前記カメラは、被写界を撮影して該被写界に応じた前記画像データを生成し、前記撮影位置および撮影方向を表わす撮影データを、該画像データとともに前記第１のデータとして前記記録媒体に記録することを特徴とする画像処理装置。
【請求項６】　請求項５に記載の画像処理装置において、前記入力手段は、前記記録媒体に記録された第１のデータを読み出して、該第１のデータを前記記憶手段に検索可能に登録することを特徴とする画像処理装置。
【請求項７】　請求項５に記載の画像処理装置において、前記カメラは、前記撮影により得られた動画像を表わす動画像データと、該動画像データの各コマに対応する前記撮影データとを前記第１のデータとして前記記録媒体に記録するカメラであり、
前記処理手段は、前記立体画像を表示する際には、前記動画像データの最初のコマに対応する撮影データに応じた位置に前記表示領域を設定することを特徴とする画像処理装置。
【請求項８】　請求項７に記載の画像処理装置において、前記処理手段は、前記立体画像における視線方向を前記撮影方向に一致させて該立体画像を表示し、該視線方向に設定した前記表示領域に前記撮影位置に対応する動画像を表示することを特徴とする画像処理装置。
【請求項９】　請求項５ないし８のいずれかに記載の画像処理装置において、前記撮影データは、前記撮影された位置における撮影高度を含むことを特徴とする画像処理装置。
【請求項１０】　３次元データに応じた立体画像を作成し、該立体画像を表示装置の表示画面に表示させる画像処理方法において、該方法は、
前記３次元データを記憶手段から読み出して前記立体画像を前記表示画面に表示する第１の表示工程と、
前記立体画像における視点位置を移動させる移動工程と、
前記立体画像に表示する画像データを選択して、該画像データの表わす画像を前記表示画面に表示された立体画像上に合成して表示する第２の表示工程とを含み、
前記画像データは、前記立体画像に対応する撮影位置にて得られて、前記撮影位置を示す位置データが付与され、前記第２の表示工程は、前記視点を移動する移動操作にしたがって、前記視点位置に応じた立体画像と前記撮影位置に応じた画像とを対応させて前記表示画面に表示する
【請求項１１】　請求項１０に記載の画像処理方法において、前記第２の表示工程は、前記画像データを前記立体画像上に表示する表示領域を設定する設定工程と、該設定工程にて設定された表示領域に、前記画像データの表わす画像を貼り付ける貼り付け工程とを含み、
前記設定工程は、前記位置データに応じた前記立体画像上に前記表示領域を設定することを特徴とする画像処理方法。
【請求項１２】　請求項１１に記載の画像処理方法において、前記位置データは、前記撮影時における方向を示す撮影方向を含み、前記設定工程は、前記撮影方向に応じて前記表示領域を設定することを特徴とする画像処理方法。
【請求項１３】　請求項１２に記載の画像処理方法において、前記位置データは、前記撮影時における高度を示す撮影高度を含み、前記設定工程は、前記撮影高度に応じて前記表示領域を設定することを特徴とする画像処理方法。
【請求項１４】　請求項１２または１３に記載の画像処理方法において、前記画像データは、動画像を表わす動画像データであり、前記第２の表示工程は、該動画像データに対応する前記位置データに応じた表示領域に前記動画像を順次表示させることを特徴とする画像処理方法。
【請求項１５】　請求項１４に記載の画像処理方法において、前記第２の設定工程は、前記動画像データの先頭のコマに対応する前記位置データに基づいて、前記表示領域を設定することを特徴とする画像処理方法。
【請求項１６】　請求項１４ないし１５のいずれかに記載の画像処理方法において、前記第１の表示工程は、前記第２の表示工程にて表示される動画像の位置データに対応して、前記視点の位置および方向の立体画像を順次表示することを特徴とする画像処理方法。
【請求項１７】　請求項１６に記載の画像処理方法において、前記第２の表示工程は、操作に応じて前記表示領域が選択されることにより前記動画像を前記表示領域に順次表示させることを特徴とする画像処理方法。
【請求項１８】　請求項１０ないし１７のいずれかに記載の画像処理方法において、
前記３次元データの表わす立体画像は地形の起伏を示す画像であり、該３次元データは第１の記憶手段に記憶され、前記画像データは、前記地形上にて撮影されて前記位置データとともに第２の記憶手段に記憶され、該方法は、前記表示画面に表示される立体画像に対応する前記位置データの画像データを検索して前記第２の記憶手段から読み出す
【請求項１９】　３次元データに応じた立体画像を作成し、該立体画像を表示装置の表示画面に表示させるとともに、前記立体画像に対応する撮影位置にて得られて該撮影位置を示す位置データが付与された画像データの表わす画像を、前記立体画像に合成して前記表示画面に表示させる画像処理プログラムが記録されたコンピュータ読み取り可能な情報記録媒体であって、
前記３次元データを記憶手段から読み出して前記立体画像を前記表示画面に表示する第１の表示手順と、
前記立体画像における視点位置を移動させる移動手順と、
前記立体画像に表示する画像データを選択して、該画像データの表わす画像を前記表示画面に表示された立体画像上に合成して表示する第２の表示手順とを含み、
該第２の表示手順は、前記視点を移動する移動操作にしたがって、該視点の位置に応じた立体画像と前記撮影位置に応じた画像とを対応させて前記表示画面に表示する画像処理プログラムが記録されたコンピュータ読み取り可能な情報記録媒体。
【請求項２０】　請求項１９に記載の情報記録媒体において、前記第２の表示手順は、前記画像データを前記立体画像上に表示する表示領域を設定する設定手順と、該設定手順にて設定された表示領域に、前記画像データの表わす画像を貼り付ける貼り付け手順とを含み、
前記設定手順は、前記位置データに応じた前記立体画像上に前記表示領域を設定することを特徴とする画像処理プログラムが記録されたコンピュータ読み取り可能な情報記録媒体。」
　
　＜参考文献記載事項１−２＞
「【００１４】
【発明の実施の形態】次に本発明の好適な実施例を図面を用いて説明する。図１を参照すると同図には本発明が適用された電子アルバムシステム1 の一実施例が示されている。図示するように電子アルバムシステム１は、カメラなどにより撮影された写真画像を、その撮影状況に基づいて３次元地図上に配置し、ディスプレイ等の画像表示装置に表示させる画像表示システムである。このシステム１では、３次元地図上を移動するようにして立体地図を表示することができ、その地図を見る視点を移動する視点移動によって、３次元地図の表示画像が視点位置に応じて変化するとともに、カメラでの撮影位置近傍へ移動すると、その場所で撮影された画像を、撮影位置および撮影方向を保持した状態の画像パネルの表面に貼り付けて、これらを立体地図とともに表示させる。
【００１５】詳しくは本実施例における電子アルバムシステム１は、被写界を撮影して被写界像を表わす画像信号を出力するデジタルカメラ10と、デジタルカメラ10の近傍に備えられその位置を表わす位置座標データを出力するGPS 受信機12と、デジタルカメラ10に備えられ撮影時の姿勢としてその方向を表わす方位データを出力する方位センサ14と、デジタルカメラ10の撮影時における高度を表わす高度データを出力する特定する高度センサ16とを含み、これらから入力回路18に送られる各種情報を処理加工してメモリカード24に記録し、記録された情報を読み出して通信装置20を介しサーバ22に転送する。
【００１６】デジタルカメラ10は、CCD 等の固体撮像素子にて電気信号に変換した被写界画像をディジタル値に変換し、さらに圧縮符号化処理して、処理されたディジタル画像データを、半導体などのメモリ素子にて構成されたメモリカード24に記録する撮像および画像入力装置である。このカメラ10は、入力回路18から接続線100を介して送られる各種情報と、撮影年月日およびその時刻とを画像データとともにメモリカード24に記録し、また、メモリカード24に記録されたデータを読み出して出力100 に出力する。メモリカード24は、カメラ10に着脱可能に構成された記憶装置であり、たとえばカード24をカメラ10から取り外して、サーバ22に接続されるカードリーダ26に装着し、メモリカード24に記録された情報をカードリーダ26にて読み出して直接サーバ22に取り込むようにしてもよい。
【００１７】
GPS 受信機12は、複数のGPS 衛星から送られる電波をアンテナにて受信し、それらの時間差を利用して現在位置を表わす位置情報を生成する位置測位装置である。GPS 受信機12は、緯度および経度にて示される座標データを生成し、これらをカメラ10の現在位置を示す位置情報として出力102 に出力する
　
　＜参考文献記載事項１−３＞
「【００３３】また、表示回路30における画像処理機能は、３次元地図の視点位置に対応する画像を表示させる画像パネルを表わすデータを作成し、画像パネルの表面にその画像をテクスチャとして貼り付ける。詳しくは表示回路30は、
図４に示すように、現在の視点位置から３次元地図を見ている範囲に、表示する画像がある場合、その画像に付与された位置、方向および高度に基づいて画像パネル40を配置させる。この画像パネル40は、画像の撮影位置Ｐと撮影方向Ｄとに基づき、撮影位置から所定の距離Ｌの位置に撮影位置を向くようにして形成される。
　
　＜参考文献記載事項１−４＞
「【００４４】そして、メモリカード24をカメラ10から取り外し、サーバ22に接続されたカードリーダ26にこのメモリカード24を装填すると、メモリカード24に記録された画像データが読み出されてサーバ22の処理装置22に転送され、画像データベース32に登録される。
この画像データには位置方位データに基づく位置情報が付与されているので、位置情報をキーワードとするデータベースが作成され、後に位置に応じた画像を検索することができる
【００４５】また、メモリカード24の記録データは、状況に応じて通信回線を利用してサーバ22に伝送することができる。この場合、カメラ10に一旦記録された画像データは入力回路18に読み出されて通信装置20に転送される。通信装置20では転送ボタンが操作されると、特定のユーザ名およびパスワードにて登録されたアドレスのサーバ22をアクセスし、撮影済の画像データをサーバ10に送信する。通信回線を利用して画像データを転送する場合は、ある程度撮影を行った時点で画像データをサーバ10へ転送できるので、メモリカード24の記憶可能容量を気にする必要がなく、カード24を複数枚、多めに持ち歩く必要がないので効果的である。
【００４６】このようにして画像データがサーバ22に登録されると、登録された画像を検索して３次元地図とともに表示装置36に表示させることができる。図３に示すように、同図には本実施例における表示処理動作を表わすフローチャートが示されている。表示回路30では、操作者による表示位置指定に基づいた３次元地形図と、その表示された空間に存在する画像データや地図情報を検索し、その後選択して表示する。
【００４７】まず、
ステップS301において、入力装置34に対する操作に応じた操作情報が表示回路30にて検出され、操作者の意図する表示位置に応じた３次元地図データが検索され、その検索結果に応じた３次元地図データが表示回路30に入力される。
　
　
＜参考文献２＞
特開平１０−２３３９８５号公報（平成１０年９月２日出願公開）
　
　＜参考文献記載事項２−１＞
「【０００３】従来、ＧＰＳ装置をデジタルカメラに接続（内蔵）し、ＧＰＳ装置によって得られた位置情報等のＧＰＳ情報を撮影画像とともに記録するシステムが提案されている。
このようなシステムによれば撮影画像を再生する際に、ＧＰＳ装置によって測位された位置情報を参照して撮影画像の撮影場所を知ることができ、また、撮影場所により所望の撮影画像を検索することができる。
　
　＜参考文献記載事項２−２＞
「【００２７】また、この画像表示画面６４において、「位置表示」ボタン６４Ｇをクリックした場合には、図５のフローチャートに示すように撮影場所の位置表示が行われる（ステップＳ２６）。この場合、ＤＭが起動して、位置情報に基づいてこの画像の撮影場所を含む電子地図が図９の６６に示すようなデジタルマップ画面として表示される。このデジタルマップ画面６６の電子地図上には、
選択した画像の撮影場所を示すマーカー６６Ａとその画像のサムネイル６６Ｂが表示される
【００２８】更に、このデジタルマップ画面６６において、「位置修正」ボタン６６Ｃをクリックすると、図５のフローチャートに示すように撮影場所の修正処理が実行される（ステップＳ２８）。図１４は、このときの処理内容の詳細を示したフロー及びモニタ２４に表示される画面の構成を示した図である。図１４の９６に示すようにモニタ２４上に位置修正のためのデジタルマップ画面が表示される。このデジタルマップ画面９６において、電子地図上の所望位置をマウスによりクリックするとその位置にデジタルマップ画面９６に表示されている画像の撮影場所が修正される。修正が終了した場合に「位置補正終了」ボタン９６Ａをクリックするともとの画面に戻る。
【００２９】一方、上述の図８に示したアルバムの一覧表示画面６０において（ステップＳ２２）、「行程確認」ボタン６０Ｃをクリックした場合には、図１０の７０に示すようなデジタルマップ画面が表示される（実際には図１０の７２のデジタルマップ画面が表示される）。このデジタルマップ画面７０には、アルバムの画像の撮影場所に対応する電子地図（各撮影画像の撮影場所を含む電子地図）が表示されるとともに、
その電子地図上に各画像の撮影場所を示すマーカー７０Ａとその撮影場所の電子地図上の位置に各画像のサムネイル７０Ｂが表示される
　
　＜参考文献記載事項２−３＞
「　　　　　　　　　　【図１０】
　　　　　　　　　　　　　　　　　　　　　　　　　　　　　　　　　」
　
　
＜参考文献３＞
特開平１１−２７２７４６号公報（平成１１年１０月８日出願公開）
　
　＜参考文献記載事項３−１＞
「【０１３１】これにより、不動産データ総合センターＣのＣＰＵ４は、入力された要求データに基づき、不動産データベースＤＢから「港区」の「学校」の詳細な情報の検索を行う。そして、ＣＰＵ４は、不動産データベースＤＢから「港区」の「学校」の詳細な情報を読み出し、これをパーソナルコンピュータ１０へ出力する。この結果、パーソナルコンピュータ１０は、
入
【０１３２】すなわち、図２７の表示領域４０７には、現在表示画面１１ａ上に表示されている画像データおよび文字データが街の熟成度を評価するための「学校」の詳細な情報であることを示す「街の熟成度・学校」の文字データが表示されている。また、表示領域４０８には、「港区」にある大学の情報を示す「港区にある大学１６校　大学の代表例　　１　慶応義塾大学　　２　北里大学　　３　聖心女子大学　　４　慈恵会医科大学　　５　芝浦工業大学　　６　東京水産大学
７　東洋英和女学院大学　　８　ペンシルバニア大学　　９　明治学院大学
１０　共立薬科大学」の文字データが示されている。
【０１３３】そして、不動産業者２または消費者３は、表示領域４０２に表示されている地図データに基づいて「港区十番」周辺を探索する場合の目印等にするため、表示領域４０８の対応する「大学」の文字データをマウス１０ｄによりクリックする。たとえば、不動産業者２は、領域４０８における「慶応義塾大学」および「聖心女子大学」の文字データをマウス１０ｄによりクリックする。これにより、パーソナルコンピュータ１０には、不動産データ総合センターＣから「慶応義塾大学」および「聖心女子大学」の画像データが入力される。
【０１３４】この結果、
表示領域４０９には、「慶応義塾大学」の外観を示す画像データが表示領域４０２の「麻布十番」周辺を示す地図データ上の所在位置近傍に重ね合わされて表示される。同様に、表示領域４１０には、「聖心女子大学」の外観を示す画像データが表示領域４０２の「麻布十番」周辺を示す地図データ上の所在位置近傍に重ね合わされて表示される。
　
　＜参考文献記載事項３−２＞
「　　　　　　　　　　【図２７】
　　　　　　　　　　　　　　　　　　　　　　　　　　　　　　　　　」
　
　
＜参考文献４＞
特開平１０−２８５５１５号公報（平成１０年１０月２３日出願公開）
　
　＜参考文献記載事項４−１＞
「【０１１７】ここで、一例として「撮影場所」の入力モードが選択された場合の検索情報の入力処理について、図１４〜図１８の図を用いて説明する。
【０１１８】「撮影場所」の入力モードが選択されると、インデックス画像用の縮小されたコマ画像と撮影場所を含む地図の画像と所定のメニュー画像とを合成して図１４に示すような「入力画面」の画像が作成され、この「入力画面」の画像を表示装置２に表示して撮影場所の検索情報の入力状態となる。
【０１１９】図１４に示す「入力画面」は、撮影場所の検索領域４２と地域情報の選択領域４３とを有し、選択領域４３は、検索領域４２の下部に設けられている。
【０１２０】選択領域４３の表示内容は、図１１の表示領域３２と同一であり、キー表示３２１〜３２３の選択により撮影場所に関連する観光地等の情報が聴取できる機能も同様である。
【０１２１】検索領域４２に表示される検索情報を入力するための画像は、記録処理時に登録された撮影場所を日本地図上にプロットし、各撮影場所に対応するコマ画像（インデックス用の小画像）を合成して作成されている。
【０１２２】地域情報メモリ１５に記憶されている地名データは、地図メモリ１４に記憶された当該地名データを含む地図とその地図上の位置（座標）情報に関連付けて記憶されているので、地図上での撮影場所のプロットは、磁気情報メモリ１３に撮影場所として登録されている地名データを読み出し、
この地名データの位置情報に基づき地図上に撮影場所のマーク（図１４では、＋印）を表示することで行なわれる。
図１４では、「東京」、「富士山」、「大阪」、「高山」及び「阿蘇」の５ヵ所についてそれぞれ１枚ずつ代表的なコマ画像Ｇ１〜Ｇ５を表示させている
【０１２３】そして、再生コマを検索するための撮影場所の検索情報の入力は、検索領域４２の画面上で所望の撮影場所に対応するコマ画像内にカーソルＫを移動し、リターンキー１０２Ｂを操作することにより行なわれる。
【０１２４】ところで、図１４の例では、記録されたコマ画像の枚数が比較的少ないので、地図上に撮影場所に対応付けて代表的なコマ画像Ｇ１〜Ｇ５を表示するようにしているが、記録されたコマ画像の枚数が大量で、しかも多数の撮影場所に分散しているときは、地図上に撮影場所に対応付けて代表的なコマ画像を表示することが困難となる。
【０１２５】このような場合は、最初、図１５に示すように、地図上に撮影場所を含む地域のみをプロットした画像を検索領域４２に表示させ、この画面から特定の撮影地域が選択されると、次に、その選択された地域の地図上に撮影場所と代表的なコマ画像とを表示した検索情報を入力するための画像を検索領域４２に表示させるようにしてもよい。
【０１２６】
図１６は、図１５の入力画面で「長野県」の撮影地域が選択された場合の入力画面の第１実施例を示す図である。
　
　＜参考文献記載事項４−２＞
「　　　　　　　　　　【図１４】
　　　　　　　　　　　　　　　　　　　　　　　　　　　　　　　　　」
　
　＜参考文献記載事項４−３＞
「　　　　　　　　　　【図１６】
　　　　　　　　　　　　　　　　　　　　　　　　　　　　　　　　　」
　
　
３−３．引用発明の認定
　
（１）引用文献１はそのタイトルのとおり「Ｗｅｂビデオシステムの概要」を説明するものであり、上記引用文献記載事項１−１〜１−３等から見て、該「Ｗｅｂビデオシステム」のサーバは「Ｗｅｂサーバー」と「ビデオサーバー」よりなることが示唆されていると言える。
　したがって、引用文献１の記載から、「Ｗｅｂビデオシステムに用いられるサーバー」であって、「Ｗｅｂサーバーと」「ビデオサーバー」「よりなるサーバー」を導き出すことができる。
　
（２）
ア．上記引用文献記載事項１−１における「Ｗｅｂの利用者に満足してもらうためには、Ｗｅｂのサーチエンジンに似ているだけでなく、さらに機能を付加した検索インターフェイスを提供する必要がある。」「多様な情報を含むメタデータの場合には、分野別検索や論理式による検索がおこなえる高度なインターフェイスが必要である。たとえば利用者は、映像の注釈に含まれる日付や話者、その分野に固有の情報などをもとに検索の条件を絞っていくかもしれない。」「たとえば、題名や日付、話者、おもな会話の内容などを表示すれば、検索結果となった映像の一場面をわずかな帯域幅で利用者に知らせることができる。」との記載等から、上記「Ｗｅｂサーバー」が「利用者が映像の題名や日付、話者、おもな会話の内容などのメタデータをもとに検索の条件を絞り検索を行」うための「検索インターフェイスを提供する」ものであることを読み取ることができる。
　
イ．上記引用文献記載事項１−１における「検索結果は、普通なら該当した項目をたんに一覧表示するだけだが、映像の検索の場合は内容を示す静止画像（サムネイル）やその場面に関するなんらかの追加情報を表示してもよいだろう。」との記載等から、上記「検索インターフェイス」が「その検索結果として、内容を示すサムネイルやその場面に関するなんらかの追加情報を表示するための」ものであることも読み取ることができる。
　
ウ．したがって、引用文献１の記載からは、上記「Ｗｅｂサーバー」は
「利用者が映像の題名や日付、話者、おもな会話の内容などのメタデータをもとに検索の条件を絞り検索を行い、その検索結果として、内容を示すサムネイルやその場面に関するなんらかの追加情報を表示するための検索インターフェイスを提供するＷｅｂサーバー」であることも導き出すことができる。
　
（３）
ア．上記「ビデオサーバー」は上記引用文献記載事項１−２の「映像のストリーミング」「ビデオサーバーは、映像へのアクセス用にＵＲＬを提供する。」との記載等から、「映像のストリーミング」をするサーバーであり、そのために該「映像へのアクセス用のＵＲＬ」を「提供し、該映像のストリーミングを行う」ものであることが読み取れる。
　
イ．そして、上記引用文献記載事項１−１における「このような情報があれば、利用者がその場面を再生するかどうかを判断する際におおいに参考になるだろう。」との記載から見て、上記「ＵＲＬ」を用いて「アクセス」され「ストリーミング」される「映像」は「前記利用者が前記検索結果を参考にして再生するかどうかを判断した場面の映像」であることが読み取れる。
　
ウ．さらに、上記引用文献記載事項１−１における「また、実際に映像を再生する場合でも、利用者は興味のある箇所をメタデータによって指定された再生位置から確実に観ることができる。」との記載や上記引用文献記載事項１−２の「したがって、Ｗｅｂと映像を統合したシステムでは、ＵＲＬの“書式”と論理的な映像資産を、検索システムのメタデータによって関連づけることが重要になる。“書式”は、コンテンツ（資産ＩＤ）を表すＵＲＬに再生位置を示す引数を加えた形式になっている。」との記載等から見て、上記「ＵＲＬ」は「実際に映像を再生する場合に利用者が再生位置を指定できるＵＲＬ」であることも読み取れる。
　
エ．したがって、引用文献１の記載からは、上記「ビデオサーバー」は
「前記利用者が前記検索結果を参考にして再生するかどうかを判断した場面の映像へのアクセス用のＵＲＬであって、実際に映像を再生する場合に利用者が再生位置を指定できるＵＲＬを提供し、該映像のストリーミングを行うビデオサーバー」であることも導き出すことができる。
　
（４）よって、引用文献１には、下記引用発明が記載されていると認めることができる。
　
＜引用発明＞
「Ｗｅｂビデオシステムに用いられるサーバーであって、
　利用者が映像の題名や日付、話者、おもな会話の内容などのメタデータをもとに検索の条件を絞り検索を行い、その検索結果として、内容を示すサムネイルやその場面に関するなんらかの追加情報を表示するための検索インターフェイスを提供するＷｅｂサーバーと、
　前記利用者が前記検索結果を参考にして再生するかどうかを判断した場面の映像へのアクセス用のＵＲＬであって、実際に映像を再生する場合に利用者が再生位置を指定できるＵＲＬを提供し、該映像のストリーミングを行うビデオサーバー
　よりなるサーバー。」
　
　
３−４．対比
　以下、本件補正発明と引用発明とを比較する。
　
（１）引用発明における「利用者」は端末を利用して「検索」や「指定」を行っていることは明らかであり、該端末は「クライアント端末」とも言える。そして、引用発明における利用者によって「再生位置」の「指定」がなされた「ＵＲＬ」の情報が「ビデオサーバー」に伝えられ、「ビデオサーバー」は該「ＵＲＬ」の情報に基づいて「映像のストリーミング」を行うことも明らかであるから、引用発明において行われる「映像のストリーミング」は「所望の画像データを、クライアント端末からの要求に基づいて配信する」ことすなわち「オンデマンド画像配信」にほかならない。
　したがって、引用発明も本件補正発明と同様に「所望の画像データを、クライアント端末からの要求に基づいて配信するオンデマンド画像配信サーバ」と言えるものである。
　
（２）引用発明における「Ｗｅｂサーバー」が提供する「検索インターフェイス」は「検索を行」うためのものであるから、該「Ｗｅｂサーバー」は該「検索を行」うための手段を備えるものであることは明らかであり、該手段は本件補正発明における「検索機能部」に対応付けられる。そして、前者は「利用者が映像の題名や日付、話者、おもな会話の内容などのメタデータをもとに検索の条件を絞り検索を行」うのであるから、前者も後者と同様に「クライアント端末から入力のあった複数の検索項目を検索条件とし、１つ又は複数の画像資源データベースを検索する検索機能部」とも言えるものである。
　
（３）引用発明における「Ｗｅｂサーバー」が提供する「検索インターフェイス」は「検索結果」の表示をするためのものでもあるから、該「Ｗｅｂサーバー」は該「検索結果」の表示をするための手段を備えるものであることは明らかであり、該手段は本件補正発明における「検索結果表示機能部」に対応付けられる。そして、前者は「検索結果として、内容を示すサムネイルやその場面に関するなんらかの追加情報を表示するための」ものであり、該「検索結果」はこれを「参考にして」「前記利用者が」「前記検索結果を再生するかどうかを判断」するものでから、引用発明における「Ｗｅｂサーバー」も本件補正発明における「検索結果表示機能部」と同様の「検索条件に該当した画像データの簡易画像データ及びこれに付属するコンテンツ関連情報のうち所定の項目に関するものを、配信対象とする画像データの内容確認用にクライアント端末の画面上に一覧表示させる検索結果表示機能部」を備えていると言える。
　
（４）引用発明における「メタデータ」は「日付」を含み、これを「もとに検索の条件を絞り検索を行」うのであるから、引用発明と本件補正発明とは「上記クライアント端末から入力される複数の検索項目には、」「時間情報が含まれ」る点で共通する。
　
（５）引用発明における「Ｗｅｂサーバー」は「その検索結果として、内容を示すサムネイルやその場面に関するなんらかの追加情報を表示するための検索インターフェイスを提供する」のであるから、該「サムネイル」と「追加情報」は何らかの形で「マッピング」されることは明らかであり、引用発明と本件補正発明とは「上記検索結果表示機能部は、検索条件として入力された」「情報に該当した画像データの簡易画像データ及びこれに付属するコンテンツ関連情報を」「マッピングし、マッピング結果をクライアント端末の画面上に表示する」ものである点で共通する。
　
（６）よって、本件補正発明は、下記一致点で引用発明と一致し、下記相違点で引用発明と相違する。
　
＜一致点＞
「所望の画像データを、クライアント端末からの要求に基づいて配信するオンデマンド画像配信サーバであって、
　クライアント端末から入力のあった複数の検索項目を検索条件とし、１つ又は複数の画像資源データベースを検索する検索機能部と、
　検索条件に該当した画像データの簡易画像データ及びこれに付属するコンテンツ関連情報のうち所定の項目に関するものを、配信対象とする画像データの内容確認用にクライアント端末の画面上に一覧表示させる検索結果表示機能部とを備え、
　上記クライアント端末から入力される複数の検索項目には、時間情報が含まれ、
　上記検索結果表示機能部は、検索条件として入力された情報に該当した画像データの簡易画像データ及びこれに付属するコンテンツ関連情報をマッピングし、マッピング結果をクライアント端末の画面上に表示する
　オンデマンド画像配信サーバ。」
　
＜相違点１＞
　本件補正発明においては「上記コンテンツ関連情報には少なくともＧＰＳ情報が含まれ」、上記クライアント端末から入力される複数の検索項目には「位置情報」も含まれ、この「位置情報」も検索条件として入力される。
（これに対し、引用文献１におけるメタデータとしては様々なものが例示されているものの、「ＧＰＳ情報」は例示されておらず、また、検索の条件も様々なものが例示されてはいるものの「位置情報」は例示されていない。）
　
＜相違点２＞
　本件補正発明における簡易画像データ及びコンテンツ関連情報のマッピングは、「これに付属するＧＰＳ情報を使用して地図上の該当位置を示す情報の近傍に上記該当位置を示す情報の表示を妨げないように」なされるものである。
（これに対し、引用文献１にはサムネイルや追加情報を「これに付属するＧＰＳ情報を使用して地図上の該当位置を示す情報の近傍に上記該当位置を示す情報の表示を妨げないように」マッピングする旨の記載はない。）
　
　
３−５．判断
　以下、上記相違点について検討する。
　
（１）相違点１について
　画像にＧＰＳ情報を付属させることで、画像を位置情報によって検索することができるようにすることは、当業者が適宜に採用している周知慣用技術であり（必要があれば上記引用文献記載事項２−１〜２−４、参考文献記載事項１−１〜１−４、２−１等参照）、引用発明におけるメタデータの一つとして「ＧＰＳ情報」を採用し、検索条件として「位置情報」を指定できるようにすることで、引用発明を「上記コンテンツ関連情報には少なくともＧＰＳ情報が含まれ」、上記クライアント端末から入力される複数の検索項目には「位置情報」も含まれ、この「位置情報」も検索条件として入力されるるものとすること、すなわち、上記相違点１に係る構成のものとすることは、当業者であれば適宜に採用し得た設計的事項にすぎない。
　
（２）相違点２について
　位置情報が付属する情報の検索結果を、地図上に表示することも適宜に採用される周知慣用の表示手法であり、その際に該情報を地図上の該当位置を示す情報の近傍に上記該当位置を示す情報の表示を妨げないように配置することも適宜採用される画面デザインである（必要があれば上記参考文献記載事項２−２〜２−３、３−１〜３−２、４−１〜４−３等参照）から、引用発明においても「これに付属するＧＰＳ情報を使用して地図上の該当位置を示す情報の近傍に上記該当位置を示す情報の表示を妨げないように」マッピングすること、すなわち、上記相違点２に係る構成を採用することも、当業者であれば適宜に採用し得た設計的事項にすぎない。
　
（３）してみると、本件補正発明の構成は引用発明に基づいて、当業者が容易に想到し得たものである。
　そして、当該構成の採用によって奏される作用効果も、当業者であれば容易に予測し得る程度のものであって、格別顕著なものではない。
　よって、本件補正発明は、引用発明に基づいて、当業者が容易に発明をすることができたものである。
　
　
３−６．小結
　よって、本件補正発明は、その出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許出願の際独立して特許を受けることができないものである。
　
　
４．むすび
　以上のとおり、本件補正後の請求項１に係る発明は特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反する。
　したがって、本件補正は、同法第１５９条第１項において読み替えて準用する同法第５３条第１項の規定により却下しなければならないものである。
　
　よって、上記補正却下の決定の結論のとおり決定する。
　
　
　
第３．本件審判請求の成否について
　
１．手続きの経緯、本願発明の認定
　本願の手続きの経緯は上記第１．記載のとおりのものであり、さらに、平成２３年７月２６日付けの手続補正は上記第２．のとおり却下された。
　したがって、本願の特許請求の範囲は、上記第１．２．（１）に記載したとおりのものであり、その請求項１に係る発明（以下「本願発明」と記す。）はそこに【請求項１】として記載したとおりのものである。
　
２．先行技術・引用発明の認定
　上記第２．３−２．（１）（２）で示したとおり、本願の出願前に頒布または電気通信回線を通じて公衆に利用可能となり、原審の拒絶の査定の理由である上記平成２２年７月２９日付けの拒絶理由通知において引用された上記引用文献にはそれぞれ上記引用文献記載事項が記載されており、本願の出願前に頒布または電気通信回線を通じて公衆に利用可能となされた上記参考文献にはそれぞれ上記参考文献記載事項が記載されている。
　そして、上記引用文献１には上記第２．３−３．で認定したとおりの引用発明が記載されていると認められる。
　
３．対比・判断
　上記第２．３．で検討した本件補正発明は、本願発明に対し上記第２．２．で述べた限定的減縮をしたものであるから、本願発明は、上記本件補正発明から当該限定的減縮により限定される要件を無くしたものに相当する。
　そして、本願発明の構成要件を全て含み、さらに他の要件を付加したものに相当する上記本件補正発明は、上記第２．３−５．で判断したとおり、上記引用発明に基づいて、当業者が容易に発明をすることができたものである。
　したがって、本願発明も同様の理由により、上記引用発明に基づいて、当業者が容易に発明をすることができたものである。
　
４．むすび
　以上のとおり、本願請求項１に係る発明は、その出願前に日本国内又は外国において頒布された刊行物に記載された発明又は電気通信回線を通じて公衆に利用可能となった発明に基いて、当業者が容易に発明をすることができたものであるから、特許法第２９条第２項の規定により特許を受けることができないものであり、他の請求項についての検討をするまでもなく、本願を拒絶すべきものとした原審の拒絶査定は妥当なものである。
　
　よって、上記結論のとおり審決する。